(57)【要約】【課題】  画像データの画像上の複数箇所を補正する場合でも夫々の部位の拡大画像を容易に表示し得る装置を合理的に構成する。【解決手段】  プレジャッジ画面２１のサムネイル表示領域２１Ａに対して画像データをソース画像として表示すると共に、この画像データの画像上の複数箇所に拡大対象エリアＤを表示し、その拡大対象エリアＤに対応する拡大画像を、ダイアログボックス３１の拡大表示領域３１Ａに一覧化して表示する表示手段を備えた。【選択図】        図６
2005148294.tif 000002
【特許請求の範囲】
【請求項１】
画像データをディスプレイに表示する処理を実行する表示ユニットを備えている画像処理装置であって、
前記表示ユニットは、処理対象とする画像データの画像上の複数箇所を指定し、その指定箇所を拡大した複数の拡大画像をディスプレイに表示するマルチ表示手段を備えている画像処理装置。
【請求項２】
前記マルチ表示手段は、複数のロケイトデータに基づいて前記指定箇所を設定し、その指定箇所の画像データを拡大し、この拡大画像を前記ディスプレイに対し一覧化して表示する処理を実行し、前記ロケイトデータのデータ値と、ロケイトデータの数と、前記拡大画像の拡大率との少なくとも一つを任意に変更できるよう構成されている請求項１記載の画像処理装置。
【請求項３】
前記表示ユニットは、前記画像データをソース画像として前記ディスプレイに表示し、このソース画像上に前記複数の指定箇所を示す拡大対象エリアを表示すると共に、前記マルチ表示手段は、前記複数の拡大対象エリアの何れかを任意に指定してソース画像上を移動させることにより、前記ロケイトデータを変更するインタフェースを備えている請求項２記載の画像処理装置。
【請求項４】
該画像処理装置は、前記画像データを生成した光学レンズ系の色収差を補正する色収差補正手段を備えると共に、前記マルチ表示手段は前記画像データの画像上の中心位置から最も離間した位置を拡大画像として表示するために前記指定箇所を設定するよう処理形態が設定されている請求項１〜３のいずれか１項に記載の画像処理装置。
【請求項５】
画像データをディスプレイに対して表示する画像処理方法であって、
処理対象とする前記画像データの複数箇所を指定する指定ステップの実行の後に、その指定箇所の画像データを拡大するステップを実行し、このように拡大した画像をディスプレイに表示する表示ステップを実行する画像処理方法。
【請求項６】
画像データをディスプレイに対して表示する処理をコンピュータに実行させる画像処理プログラムであって、
処理対象とする前記画像データの複数箇所を指定する機能と、その指定箇所の画像データを拡大する機能と、拡大された前記複数箇所の画像データをディスプレイに表示する機能とをコンピュータに実行させる画像処理プログラム。
【発明の詳細な説明】
【技術分野】
【０００１】
本発明は、画像データをディスプレイに表示する処理を実行する表示ユニットを備えている画像処理装置及び画像処理方法及び画像処理プログラムに関する。
【背景技術】
【０００２】
上記したように画像データをディスプレイに表示する画像処理装置としては画像処理専用の装置を例に挙げるまでもなく、デジタルカメラで撮影した画像データの補正やレタッチを実現する汎用コンピュータを画像処理装置として捉えることも可能である。画像データをディスプレイに表示する技術に関連するものとして特許文献１に示すものが存在する。つまり、この特許文献１では、画像処理装置に対して画像の検定や、画像を撮影した撮影レンズの収差特性に起因する歪曲収差や、倍率色収差、あるいは、周辺光量不足等の画像品質の劣化の補正等を行うために、入力された画像データに基づく再現画像や補正再現画像を表示し、かつ、各種の操作指示等を表示するためのモニタ（本発明のディスプレイ）を備えている。
【０００３】
また、この特許文献１では、必要に応じて電子変倍処理によって画像の拡大縮小が可能であり、また、補正後の再現画像がモニタに表示され、このように表示された補正再現画像が適切であるかどうかがオペレータによって判断できるものとなっている。
【０００４】
【特許文献１】特開２０００‐３２４３３９号公報  （段落番号〔００３４〕、〔００４０〕、図５）
【発明の開示】
【発明が解決しようとする課題】
【０００５】
特許文献１に記載されるように撮影に用いられるレンズの特性に起因した収差等を補正する目的だけではなく、レタッチのような人為的な画像処理を考えた場合には、処理の対象とする領域だけを拡大してディスプレイに表示することにより補正の要否の判断を容易でき、また、補正を行う場合の微妙な処理を容易にするものである。
【０００６】
ここで、特許文献１にも記載される倍率色収差補正を考えた場合、この倍率色収差は画像データの画像上の中心から離間する部位ほど顕著に現れるものであるため、例えば、デジタルカメラで撮影された画像データの場合、画像データにおける画像上の４つの隅部夫々をディスプレイに拡大して表示して夫々における色収差の状態を把握したい場合もあった。しかしながら従来からの画像処理装置では、画像データ全体を拡大することや、指定した単一の領域だけを拡大して表示する機能のみを具備するため、例えば、画像データの画像上の４つの隅部の状態を確認する場合にも、表示された画像データをスクロールさせる等の操作を必要とし、オペレータにとって手間が掛かり煩わしいものであった。
【０００７】
本発明の目的は、画像データの画像上の複数箇所を補正する場合でも、夫々の部位の拡大画像を容易に表示し得る装置、方法、プログラムを合理的に構成する点にある。
【課題を解決するための手段】
【０００８】
本発明の特徴は、画像データをディスプレイに表示する処理を実行する表示ユニットを備えている画像処理装置において、前記表示ユニットは、処理対象とする画像データの画像上の複数箇所を指定し、その指定箇所を拡大した複数の拡大画像をディスプレイに表示するマルチ表示手段を備えている点にある。
【０００９】
この構成により、処理対象とする画像データの画像上の複数箇所が指定され、その指定箇所を拡大した複数の拡大画像がディスプレイに表示されることにより、画像上で離間する位置関係にある複数の領域の拡大画像を同時にディスプレイで確認できるものとなる。その結果、画像データの状態を確認する場合にも、スクロールすることや拡大すべき領域を人為的に指定する等の手間を掛けずに済む。
【００１０】
本発明は、前記マルチ表示手段として、複数のロケイトデータに基づいて前記指定箇所を設定し、その指定箇所の画像データを拡大し、この拡大画像を前記ディスプレイに対し一覧化して表示する処理を実行し、前記ロケイトデータのデータ値と、ロケイトデータの数と、前記拡大画像の拡大率との少なくとも一つを任意に変更できるよう構成しても良い。
【００１１】
この構成により、ロケイトデータを変更できるものでは、画像上において任意に設定した領域の拡大画像を表示できるものとなり、任意に設定した位置、任意に設定した数の画像データを任意に設定した拡大率で一覧化して表示するので、例えば、予め設定された領域の拡大画像を分散的にディスプレイに表示するものと比較して、必要とする領域の画像データの拡大画像を集約してディスプレイに表示でき、画像データの詳細の把握が容易となる。
【００１２】
本発明は、前記表示ユニットとして、前記画像データをソース画像として前記ディスプレイに表示し、このソース画像上に前記複数の指定箇所を示す拡大対象エリアを表示すると共に、前記マルチ表示手段は、前記複数の拡大対象エリアの何れかを任意に指定してソース画像上を移動させることにより、前記ロケイトデータを変更するインタフェースを備えても良い。
【００１３】
この構成により、ディスプレイに表示されたソース画像上に表示された拡大対象エリアから、拡大画像がソース画像の何れの位置に対応しているかの判断を容易に行え、また、例えば、拡大対象エリアをカーソルで選択した状態でマウス等の操作によってソース画像上において移動させる等の簡単な操作によって拡大対象エリアを任意に設定できる。
【００１４】
本発明は、該画像処理装置として、前記画像データを生成した光学レンズ系の色収差を補正する色収差補正手段を備えると共に、前記マルチ表示手段は前記画像データの画像上の中心位置から最も離間した位置を拡大画像として表示するために前記指定箇所を設定するよう処理形態を設定しても良い。
【００１５】
この構成により、画像データの中心位置から最も離間した位置が指定箇所に設定されているので、色収差が最も顕著に現れる領域の画像を拡大して視認でき、色収差補正手段によって画像データの色収差を補正する場合にも、収差の状態や補正の状況を複数の拡大画像から的確に把握できる。
【００１６】
本発明は、画像データをディスプレイに対して表示する画像処理方法において、処理対象とする前記画像データの複数箇所を指定する指定ステップの実行の後に、その指定箇所の画像データを拡大するステップを実行し、このように拡大した画像をディスプレイに表示する表示ステップを実行するよう構成しても良い。
【００１７】
この構成により、指定ステップ、拡大ステップ、表示ステップを実行することで画像データの画像上での複数箇所を拡大してディスプレイに表示でき、画像上で離間する位置関係にある複数の領域の拡大画像を同時にディスプレイで確認できる。その結果、画像データの状態を確認する場合にも、スクロールすることや拡大すべき領域を人為的に指定する等の手間を掛けずに済む。
【００１８】
本発明は、画像データをディスプレイに対して表示する処理をコンピュータに実行させる画像処理プログラムにおいて、処理対象とする前記画像データの複数箇所を指定する機能と、その指定箇所の画像データを拡大する機能と、拡大された前記複数箇所の画像データをディスプレイに表示する機能とをコンピュータに実行させるよう構成しても良い。
【００１９】
この構成により、処理対象とする画像データの画像上の複数箇所が指定され、複数箇所の画像データが拡大され、このように拡大された画像データがディスプレイに表示されるものとなる。その結果、画像データの状態を確認する場合にも、スクロールすることや拡大すべき領域を人為的に指定する等の手間を掛けずに済む。
【発明を実施するための最良の形態】
【００２０】
以下、本発明の実施形態を図面に基づいて説明する。
〔全体構成〕図１に示すように、デスク部１に対して写真フィルムＦのコマ画像の情報を光電変換によりデジタル信号化して取り込むフィルムスキャナ２と、各種情報を表示するＣＲＴ型のディスプレイ３と、画像処理と各種処理とを実現するため汎用コンピュータで成る画像処理装置としての処理装置４とを配置し、デスク部１の上面に情報を入力するためのキーボード５と、マウス６とを備えている。前記処理装置４の上部位置にＣＤやＭＯやＦＤ等のディスク型のメディアからの情報を取得する、あるいは、半導体型のメディアからの情報を取得するよう記憶手段の構造に対応したメディアドライブ７を備え、これらによって画像処理ユニットＡが構成されている。
【００２１】
前記フィルムスキャナ２は、下部に発光ダイオードやハロゲンランプ等を有した光源部２Ａを配置し、中間部にズームレンズ２Ｂを配置し、上部にズームレンズからの画像情報をＲ（赤）、Ｇ（緑）、Ｂ（青）三原色に色分解した画像データとして取り込むラインＣＣＤ型の光電変換部２Ｃを配置している。このフィルムスキャナ２では、写真フィルムＦのスキャニングを行う場合には、その写真フィルムＦのサイズに適合したフィルムキャリア８を光源部２Ａの上面に装着してスキャニングを開始することにより、写真フィルムＦを副走査方向（長手方向）に搬送する作動と同期して光電変換部２Ｃにおいて写真フィルムＦの画像情報を主走査方向に沿ってデジタル信号化して取り込む処理が行われ、このようにデジタル信号に変換して取り込まれた画像データは、前記処理装置４に転送され、この処理装置４において保存される。
【００２２】
前記処理装置４は、ディスプレイ３に表示された情報に従ってポインティングデバイスとして機能する前記キーボード５やマウス６の操作により実現するＧＵＩ（Graphical User Interface）型のインタフェースを具備し、更に、前述のようにフィルムスキャナ２によって取り込んだ画像データ、あるいは、前記メディアドライブ７を介して取り込まれた画像データを処理装置４に内蔵した前記半導体メモリやハードディスク（図２を参照）に対して保存し、このように保存した画像データに対して必要な処理を行うソフトウエア（詳細は後述する）が該処理装置４にインストールされている。
【００２３】
この処理装置４は、画像データを印画紙等のプリント媒体にプリントする際において、その画像データがプリント媒体にプリントされた際の色調等をディスプレイ３に表示し、これに基づいて補正の必要がある場合には補正処理を行い、この補正処理の後にプリントサイズやプリント枚数等のオーダ情報を入力することにより、画像データ（補正された画像データ）をプリント装置Ｂ（図２を参照）に伝送してプリント処理を実現するよう機能するものである。
【００２４】
図２に示すように、前記処理装置４の制御系の概要を示すことが可能である。つまり、情報の処理を行うマイクロプロセッサ（ＣＰＵ）を備えると共に、このマイクロプロセッサ（ＣＰＵ）に対してデータバスを介して情報がアクセスする前記メディアドライブ７、半導体メモリで成るＲＡＭ／ＲＯＭ、データを保存するハードディスクＨＤ、制御インタフェース１１を備えると共に、プログラム（ソフトウエア）で成るオペレーションシステム１２、画像補正手段１３、色収差補正手段１４、オーダ処理手段１５、及び、表示ユニット１６夫々を備えて成り、この処理装置４に対してフィルムスキャナ２、キーボード５、マウス６からの信号が入力する信号系が形成されている。尚、前記オペレーションシステム１２、画像補正手段１３、色収差補正手段１４、オーダ処理手段１５、及び、表示ユニット１６は、ハードウエアとソフトウエアとの組み合わせで構成することや、ハードウエアのみで構成することが可能である。
【００２５】
同図に示すように前記半導体メモリＲＡＭは画像処理を行う際に画像データが展開される作業エリアが形成され、前記ハードディスクＨＤは画像データを保存する画像データ保存領域が形成され、前記表示ユニット１６はマルチ表示手段として機能する。このマルチ表示手段は、前記色収差補正手段１４による処理時において、処理対象とする画像データの画像上の複数箇所を指定する指定ステップと、指定された領域を拡大する拡大ステップと、このように拡大された画像データをディスプレイ３に表示する表示ステップとを実行するものである。このような処理を行う際には、処理対象とする画像データが前記半導体メモリＲＡＭの作業エリアに展開され、このように展開された画像データのうち指定された複数箇所の領域を拡大表示する処理が行われ、この拡大表示用の画像データが、この作業エリアに保存され、これら処理対象に設定された画像データと拡大表示用の画像データとがＶＲＡＭに転送され、その結果、処理対象とする画像データと、拡大表示用の画像データとがディスプレイ３に表示されるのである（この処理形態は後述する）。
【００２６】
〔プリント処理〕この処理装置４では、前記フィルムスキャナ２で取得した画像データ、若しくは、メディアドライブ７から取得した画像データが、オーダを識別し得るインデックス情報を付した状態で前記ハードディスクＨＤの画像データ保存領域に保存され、これらの画像データからプリントを実行する場合には、オーダを指定することにより、前記オペレーションシステム１２が、インデックス情報に基づき指定されたオーダの画像データを前記半導体メモリＲＡＭの作業エリアに展開し、更に、前記オペレーションシステム１２が、このように展開された画像データと、プリント条件とに基づき、プリント媒体にプリントされた際の色調やコントラスト等をシミュレートしてサムネイル形式の画像データ（ソース画像）を生成し、このサムネイル形式の画像データ（ソース画像）を前記表示ユニット１６が図５に示すプレジャッジ画面２１としてディスプレイ３に表示する。尚、本実施の形態では、ハードディスクＨＤの作業領域から半導体メモリＲＡＭの作業エリアに対しプリントサイズに対応する画素数に変換して展開したプリント処理用の画像データを、ソース画像とすべきであるが、本実施の形態では、プリントサイズに対応する画素数の画像データの内容を反映し、視覚的に認識可能なサムネイル形式の画像データをソース画像と定義している。
【００２７】
前記プレジャッジ画面２１には複数のサムネイル形式の画像データを一覧化して表示するサムネイル表示領域２１Ａが形成され、この画面中にはプリント枚数表示部２２が形成され、サムネイル形式の画像データをスクロールするスクロールバー２３が形成され、プリント枚数を「０」に設定する「クリヤ」スイッチ２４と、プリントを実現する「ＯＫ」スイッチ２５とが形成されている。また、前記プリント枚数表示部２２に対し、初期値として「１」の数値が表示され、このプリント枚数表示部２２に対してキーボード５やマウス６の操作によって任意の数値（プリント枚数）の入力が可能である。尚、前記「クリヤ」スイッチ２４の操作で全ての数値を「０」にすることも可能である。
前記サムネイル表示領域２１Ａに表示された画像データの色調やコントラスト等の状態に不都合がなければ、夫々の画像データの下部のプリント枚数表示部２２に表示されたプリント枚数を確認した後に画面中の「ＯＫ」スイッチ２５を操作することにより、前記オーダ処理手段１５が、画像データとオーダデータとをプリント装置Ｂに伝送する処理を実行し、プリント処理が実現する。尚、ディスプレイ３に表示されたスイッチを操作する場合には、マウス６やキーボード５のカーソルキーの操作により、カーソルでスイッチを選択し、マウス６のスイッチをクリックすることや、キーボード５の特定のキーを操作する操作形態となる。
【００２８】
更に、プレジャッジ画面２１に表示された画像データの補正を必要とする場合には、サムネイル表示領域２１Ａの下部には「補正」スイッチ２６を操作することになる。この「補正」スイッチ２６が操作された場合には、補正用のダイアログボックス２７が表示され、このダイアログボックス２７に表示されたスライドスイッチ類を操作することにより、前記画像補正手段１３がカラーバランスや、色相、彩度、明度、明るさ、コントラストの補正を行い、この補正状態をプレジャッジ画面上に反映させることにより、補正結果を視覚的に把握しながら補正を行えるものにしており、この補正処理は「ＯＫ」スイッチ２８を操作することで確定する。
【００２９】
このダイアログボックス２７には、画像データの補正処理のオプションとして、「歪曲」スイッチ２９と、「倍率色収差」スイッチ３０とが表示されている。「歪曲」スイッチ２９は、その画像データを撮影したカメラのレンズの特性に起因してタル型や糸巻型に歪んだ画像データを補正する処理を実現するものである（処理形態は詳述せず）。前記「倍率色収差」スイッチ３０は、その画像データを撮影したカメラのレンズの特性に起因して画像データの周辺部において顕著に現れる色収差の補正を実現するものである。
【００３０】
この倍率色収差は、例えば、画像データにおいて本来白色となるべき画素のうち、Ｒ（赤）あるいはＢ（青）のデータが、画像データの画像上の中心から離間する方向に変位する現象として捉えることが可能である。このような理由から、前記「倍率色収差」スイッチ３０を操作した場合には、前述のように変位したデータを、補正パラメータに基づいて特定し、本来の画素の位置にシフトし、必要とする領域を補間する処理を実行するよう処理形態が設定されている。
【００３１】
この「倍率色収差」スイッチ３０を操作した際の処理形態の概要を図３のフローチャートのように示すことが可能である。つまり、「倍率色収差」スイッチ３０が操作された場合には、図６に示すように倍率色収差補正用のダイアログボックス３１を表示し、このダイアログボックス３１の画面上の複数の拡大表示領域３１Ａに拡大画像データを一覧化して表示し、前記プレジャッジ画面２１のサムネイル表示領域２１Ａに対してラインで区画する形態で拡大対象エリアＤを表示する。この表示処理を行う際には、表示ユニット１６が、ソース画像データを取得し、ロケイトデータと、拡大率とのデフォルト値を取得し、拡大画像表示の処理を実行する（＃０１、＃０２、＃１００ステップ）。
【００３２】
前記拡大画像表示の処理（＃１００ステップ）は図４のフローチャートに示すように、サブルーチンの形でセットされている。つまり、ロケイトデータに基づいてサムネイル形式の画像データ上に枠状のイメージとなる拡大対象エリアＤを表示し、次に、ロケイトデータに基づいて拡大表示領域３１Ａの数と、拡大表示領域３１Ａのレイアウトとを設定した後に（＃１０１、＃１０２ステップ）、処理対象として既に前記半導体メモリＲＡＭの作業エリアに展開されているプリント処理用の画像データのうちロケイトデータに基づいて複数の基準位置を指定し、指定された領域に対応する画像データを、拡大表示用の画像データとして生成する処理を行い、この拡大表示用の画像データを前記拡大表示領域３１Ａに表示する処理が行われる（＃１０３〜＃１０５ステップ）。
【００３３】
この＃１０３、＃１０４、＃１０５ステップが本発明の画像処理方法において、処理対象とする前記画像データの複数箇所を指定する指定ステップ、その指定箇所の画像データの拡大表示用の画像データを生成するステップ、このように生成した拡大表示用の画像をディスプレイに表示する表示ステップに対応するものであり、また、この＃１０３、＃１０４、＃１０５ステップが本発明の画像処理プログラムにおいて、処理対象とする前記画像データの複数箇所を指定する機能、その指定箇所の画像データを拡大する機能、拡大された前記複数箇所の画像データをディスプレイに表示する機能に対応するものである。
【００３４】
前記ロケイトデータは、例えば、図７に示すように画像データに設定された座標Ｐ（Ｐ１〜Ｐ９）として与えられるものであり、拡大率は数値として与えられるものである。従って画像データを拡大する際には、前述のように半導体メモリＲＡＭの作業エリアに対して処理対象として保存されている画像データの画像上に複数の座標Ｐを設定し、この座標Ｐを基準にして拡大率に基づいた拡大表示処理を行い、処理結果を半導体メモリＲＡＭの作業エリアに保存し、拡大表示領域３１ＡとしてＶＲＡＭの保存領域に形成された拡大画像を転送することにより実現するのである。このように拡大画像を表示する際には、画像データ上に表示された拡大対象エリアＤと対応する位置関係、つまり、左上の隅の拡大対象エリアＤの拡大画像を、ダイアログボックス３１の左上の隅に配置する等、夫々の拡大画像を拡大対象エリアＤと対応する位置関係で配置することにより、この拡大画像と拡大対象エリアＤとの位置関係を把握し易いものにしている。
【００３５】
また、前記座標Ｐのデフォルト値として、画像データの画像上の中心位置から最も離間した位置が含まれている。尚、拡大とは、画像データの複数の画素をディスプレイ３上で分離して識別できる程度のサイズに変換することを意味するものであり、拡大処理として、半導体メモリＲＡＭの作業エリアに展開されているプリント処理用の画像データを抽出する処理を行い、ＶＲＡＭに対して直接的に転送するよう処理形態を行うものであっても良い。
【００３６】
この倍率色収差補正用のダイアログボックス３１には補正パラメータ入力部３２と、ズーム式の拡大率を調節する拡大率調節部３３と、オプションスイッチ３４と、「ＯＫ」スイッチ３５等が表示されている。
【００３７】
そして、補正パラメータ入力部３２に対して予め設定された補正パラメータをドロップダウンリストから選択する形態で入力することにより、必要とする倍率色収差補正が実現する（＃０３、＃０４ステップ）。また、この倍率色収差補正の処理は前記色収差補正手段１４によって実現するものであり、この補正パラメータは、本来、メーカー毎のレンズの種類を特定して設定されるべきものであるが、代表的な複数のレンズで撮影された画像データの倍率色収差を補正可能な補正パラメータが予め登録されている。
【００３８】
前記拡大率調節部３３は、画面中のスライドスイッチを操作することにより拡大表示領域３１Ａに表示される画像データの拡大率を調節でき、このように拡大率の調節に伴い、前記サムネイル表示領域２１Ａに対して表示された拡大対象エリアＤのサイズも変化するものとなっている（＃０５、＃０６ステップ）。また、拡大対象エリアＤのサイズを変化させる場合には、夫々に対応する座標Ｐを基準として拡大対象エリアＤを示す枠状のイメージのサイズが変化する。
【００３９】
つまり、拡大率を任意に設定することにより、前述した拡大画像表示の処理（＃１００ステップ）によって拡大表示領域３１Ａに表示される画像データの拡大率を任意に調節でき、この調節に伴い拡大対象エリアＤのサイズが変化するものとなる。
【００４０】
表示モードとは、拡大対象エリアＤの数を増減することや、拡大対象エリアを移動させることを意味するものであり、このように表示モードが変更された場合には、ロケイトデータを取得することにより、拡大画像表示の処理（＃１００ステップ）によって表示モードの変更が実現する（＃０７、＃０８ステップ）。
【００４１】
この表示モードを変更する際の具体的は設定形態としては、図８に示すように、マウス６の操作によってプレジャッジ画面２１のサムネイル表示領域２１Ａに形成された拡大対象エリアＤに対してカーソルを一致させ、マウス６の左スイッチをクリックする等の操作により同図に示す確認メッセージを表示させ、「Ｙｅｓ」スイッチを操作することにより、カーソルが一致する拡大対象エリアＤに対応するロケイトデータが削除され、結果として拡大表示エリアＤと、対応する拡大表示領域３１Ａの画像とが消去することや、図９に示すように、プレジャッジ画面２１のサムネイル表示領域２１Ａにカーソルを一致させ、マウス６の左スイッチをクリックする等の操作により同図に示す確認メッセージを表示させ、「Ｙｅｓ」スイッチを操作することにより、対応する位置の座標がロケイトデータとして生成され、結果として、拡大表示エリアＤと、対応する拡大表示領域３１Ａの画像とを新たに作り出すことが可能となっている。このように拡大表示領域３１Ａの数を増減した場合には、倍率色収差補正用のダイアログボックス３１に表示される拡大表示領域３１Ａを適切なレイアウトに設定するよう処理形態が設定されている。
【００４２】
また、図面には示していないが、サムネイル表示領域２１Ａに形成された拡大対象エリアＤに対してカーソルを一致させ、左ボタンを押し操作した状態でカーソルを移動させることにより、ドラッグする形態で拡大対象エリアＤをサムネイル表示領域上の任意の位置に変更するよう処理形態を設定することも可能である。
【００４３】
前記オプションスイッチ３４を操作した場合には、図６に示すオプション設定用のダイアログボックス４１が表示される。このダイアログボックス４１には前記補正パラメータ入力部３２に表示されるデフォルト値を設定する補正パラメータの設定部４２と、拡大表示領域３１Ａに表示される画像データの拡大率のデフォルト値を設定する拡大率設定部４３とが形成されると共に、サムネイル表示領域２１Ａの表示数のデフォルト値を設定する表示数設定部４４が形成され、これらの設定を行った後に下部の「ＯＫ」スイッチ４５を操作することによりデフォルト値が保存される。
【００４４】
このように必要な処理を行った後に、倍率色収差補正用のダイアログボックス３１に表示された「ＯＫ」スイッチ３５を操作することにより補正処理が完了するのである（＃０９ステップ）。
【００４５】
このように本発明によると、倍率色収差の補正を行う場合には、プレジャッジ画面２１にサムネイル形式で表示された画像データをソース画像として、このソース画像の画像上に設定された複数の拡大対象エリアＤを、ダイアログボックス３１の拡大表示領域３１Ａに対して対応する位置関係で表示するので、画素単位での色収差の状態を的確に把握して補正処理の結果を無理なく判断できるものとなっている。特に、倍率色収差は画像データの画像上の中心位置から離間する位置ほど顕著に現れるので、拡大対象エリアＤをソース画像の画像上の中心位置から離間位置に設定することにより誤りのない判断を行えるものにするのである。
【００４６】
また、本発明によると、拡大対象に指定する領域の数を変更することや、拡大対象とする領域の位置を任意に変更することや、拡大表示用の画像データの拡大率を任意に変更できるので、必要とする倍率で拡大した画像に基づいて収差の状態や、補正結果を把握しやすいものにしている。
【００４７】
〔別実施の形態〕
本発明は、上記した実施の形態以外に以下のように構成しても良い。
【００４８】
（イ）プレジャッジ画面２１のサムネイル式の画像データに代えて、ソース画像をプレビュー画面に対して表示することも可能である。このようにソース画像をプレビュー画面に表示した場合には、プレビュー画面を大きく形成して、画像データの状態の把握を容易にすることが可能となり、プレビュー画面に対して表示される拡大対象エリアＤも大きくなるので、拡大表示エリアＤの把握も容易となる。
【００４９】
（ロ）拡大表示用の画像データの拡大率を変更した場合に、拡大率の変更と同時に拡大画像表示領域３１Ａの枠を変化させるよう処理形態を設定することや、拡大率が大きい値に設定された場合に、拡大された全ての画像データをディスプレイ３に表示する表示形態に代えて、表示可能な数の画像データの表示を行い、拡大表示領域３１Ａをスクロールする形態やページ切り換えの形態で全ての拡大表示領域３１Ａを表示するように表示形態を設定する。このように拡大率を大きく設定するものでは、画像データの状態を容易に把握でき、処理能率を高めるものとなる。
【００５０】
（ハ）画像データを表示する場合に、画像データの色補正を行う場合や、画像データのトリミングを行う場合のように倍率色収差以外の画像処理に適用する。
【図面の簡単な説明】
【００５１】
【図１】画像処理ユニットの斜視図
【図２】処理装置のブロック回路図
【図３】倍率色収差補正処理のフローチャート
【図４】拡大画像表示ルーチンのフローチャート
【図５】プレジャッジ画面と補正処理用のダイアログボックスとを示す図
【図６】プレジャッジ画面と倍率色収差処理用のダイアログボックスとを示す図
【図７】拡大表示領域の座標を示す図
【図８】拡大表示領域を削除する際の操作形態を示す図
【図９】拡大表示領域を指定する際の操作形態を示す図
【符号の説明】
【００５２】
３            ディスプレイ
４            画像処理装置
１６          表示ユニット
Ｄ            拡大対象エリア
【図１】
2005148294.tif 000003
【図２】
2005148294.tif 000004
【図３】
2005148294.tif 000005
【図４】
2005148294.tif 000006
【図５】
2005148294.tif 000007
【図６】
2005148294.tif 000008
【図７】
2005148294.tif 000009
【図８】
2005148294.tif 000010
【図９】
2005148294.tif 000011